(57)【要約】【課題】重力方向に対する設置方向の変化に対応して電源ユニットの配置を変化させ、機器内部の温度上昇を抑制する。【解決手段】負荷と、前記負荷に電力を供給可能な複数の電源ユニットから構成される電源手段と、前記負荷と前記電源ユニットを支持する支持部材と、前記支持部材の重力方向に対する設置方向を設定する設置方向設定手段と、前記設置方向設定手段にて設定された設置方向に基づいて前記負荷に電力供給する電源ユニットを選択し、前記負荷に対して電力を供給する電源選択手段を備える。【選択図】図１
2008311357.tif 000002
【特許請求の範囲】
【請求項１】
負荷と、前記負荷に電力を供給可能な複数の電源ユニットから構成される電源手段と、前記負荷と前記電源ユニットを支持する支持部材と、前記支持部材の重力方向に対する設置方向を設定する設置方向設定手段と、前記設置方向設定手段にて設定された設置方向に基づいて前記負荷に電力供給する電源ユニットを選択し、前記負荷に対して電力を供給する電源選択手段を備えたことを特徴とする電子機器。
【請求項２】
前記設置方向設定手段は、前記支持部材の設置方向を検出する方向検出手段を備え、方向検出手段による検出結果に基づいて設置方向の設定を行うことを特徴とする請求項１に記載の電子機器。
【請求項３】
前記電源選択手段は、前記電源手段を構成する複数の電源ユニットのうち上側に位置する電源ユニットを優先的に選択することを特徴とする請求項１に記載の電子機器。
【発明の詳細な説明】
【技術分野】
【０００１】
この発明は電子機器に関し、とくに液晶ディスプレイ装置やプラズマディスプレイ装置のような表示機器に関する。
【背景技術】
【０００２】
このような電子機器においては、横置きにされた状態において求められた、筐体内部温度を保証温度以下に保持しうる第１温度センサの検出温度と冷却ファンの回転数との関係と、第１温度センサの検出温度とに基づいて、ファン回転数を算出する第１算出手段、縦置きにされた状態において求められた、筐体内部温度を保証温度以下に保持しうる第２温度センサの検出温度と冷却ファンの回転数との関係と、第２温度センサの検出温度とに基づいて、ファン回転数を算出する第２算出手段、ならびに両算出手段によって算出されたファン回転数のうち、大きい方のファン回転数に基づいて、冷却ファンを制御する手段を備え、装置が横置きで使用される場合でも、縦置きで使用される場合でも、冷却ファンの騒音を低く抑えることができるようにしたものが知られている（例えば、特許文献１参照）。
【特許文献１】特開２００４−４２１４号公報
【発明の開示】
【発明が解決しようとする課題】
【０００３】
しかしながら、このような電子機器では、横置きで使用する場合と、縦置きで使用する場合によって変化する熱源の放熱状態を、冷却ファンの回転数で制御するようにしているため、熱源の位置によっては効率よく放熱を行うことができないという問題点があった。
この発明は、このような事情を考慮してなされたもので、予め複数の電源ユニット（電力変換回路）を備え、横置きや縦置きのように設置姿勢が変化する場合や、負荷容量が変化する場合に負荷に電力を供給する電源ユニットを複数の電源ユニットの中から選択することにより、温度上昇の抑制、温度分布の均一化を行うことができる電子機器を提供するものである。
【課題を解決するための手段】
【０００４】
この発明は、負荷と、前記負荷に電力を供給可能な複数の電源ユニットから構成される電源手段と、前記負荷と前記電源ユニットを支持する支持部材と、前記支持部材の重力方向に対する設置方向を設定する設置方向設定手段と、前記設置方向設定手段にて設定された設置方向に基づいて前記負荷に電力供給する電源ユニットを選択し、前記負荷に対して電力を供給する電源選択手段を備えたことを特徴とする電子機器を提供するものである。
【発明の効果】
【０００５】
この発明によれば、支持部材の重力方向に対する設置方向に応じて負荷に電力供給する電源ユニットの選択が行われる。従って、上昇気流による冷却が効率よく作用する位置の電源ユニットの選択が可能となり、機器の温度上昇を抑制することができる。
【発明を実施するための最良の形態】
【０００６】
この発明の電子機器は、負荷と、前記負荷に電力を供給可能な複数の電源ユニットから構成される電源手段と、前記負荷と前記電源ユニットを支持する支持部材と、前記支持部材の重力方向に対する設置方向を設定する設置方向設定手段と、前記設置方向設定手段にて設定された設置方向に基づいて前記負荷に電力供給する電源ユニットを選択し、前記負荷に対して電力を供給する電源選択手段を備えたことを特徴とする。
前記設置方向設定手段は、前記支持部材の設置方向を検出する方向検出手段を備え、方向検出手段による検出結果に基づいて設置方向の設定を行ってもよい。
前記電源選択手段は、前記電源手段を構成する複数の電源ユニットのうち上側に位置する電源ユニットを優先的に選択してもよい。
各電源ユニットは、商用電力（交流電力）を負荷に適用可能な形態の電力（例えば、直流や高周波の電力）に変換する電力変換器であってもよい。
【０００７】
以下、図面に示す実施形態１〜３を用いてこの発明を詳述する。なお、図面において、共通の構成要素には同じ参照符号を付け説明の重複を避けた。
【０００８】
第１実施形態
図１と図２は、この発明による第１実施形態の液晶ディスプレイ装置の回路配置図であり、図１は横置きの場合、図２は縦置きの場合をそれぞれ示す。
図１，図２に示すように、液晶ディスプレイ装置１００ａは、支持部材（筐体）１０１を備え、支持部材１０１の背面に長方形の液晶パネル１０２が搭載され、液晶パネル１０２の背面にランプ点灯回路基板Ｂ１，Ｂ２が設置される。なお、「横置き」とは液晶パネル１０２の短辺が矢印Ｇで示す重力方向に平行になるように液晶ディスプレイ装置１００ａが設置される場合であり、「縦置き」とは液晶パネル１０２の長辺が矢印Ｇで示す重力方向に平行になるように液晶ディスプレイ装置１００ａが設置される場合である。
【０００９】
ランプ点灯回路基板Ｂ１，Ｂ２の間に複数本（例えば１０〜２０本）のバックライトランプ１０３が設けられる。バックライトランプ１０３の背面に電源１，２，３と、映像処理回路基板Ａ１と、表示回路基板Ａ２と、切換回路基板（電源選択出段）Ａ３と、設置方向センサＤＳが設置される。また、温度センサＴＳ（１），ＴＳ（２），ＴＳ（３）がそれぞれ電源１，２，３の近傍に設けられて各電源の温度を検出し、温度センサＴＳ（４）が電源１，２，３から離れて設けられて支持部材（筐体）１０１の内部温度を検出する。
【００１０】
ここで、バックライトランプ１０３には、冷陰極管が用いられる。冷陰極管はガラスチューブを備え、そのガラスチューブ内に水銀を含む希ガスが封入される。ガラスチューブは両端に配置された電極間に高い交流電圧（例えば４５Ｈｚ，１０００Ｖ）が印加されて放電し、水銀が励起状態になると紫外線が発生する。その紫外線がガラスチューブ内面に塗布された蛍光体で可視光に変換され放出されるようになっている。
【００１１】
また、電源１，２，３は、商用電源からの交流電圧（例えば、１００Ｖ、５０又は６０Ｈｚ）を変圧して所望の直流電圧に変換する変圧器と整流平滑回路を備える。
また、ランプ点灯回路基板Ｂ１，Ｂ２には、電源１，２，３のいずれかから供給される直流電圧を交流の高電圧（例えば４５Ｈｚ，１０００Ｖ）に変換して複数本のバックライトランプ１０３の両端の電極に印加する電力変換回路が搭載されている。
【００１２】
また、映像処理回路基板Ａ１には、液晶パネル１０２に表示する映像信号を、液晶パネル１０２に表示するために調整したり、液晶ディスプレイ装置１００ａの全体をコントロールする回路が搭載されている。
また、表示回路基板Ａ２には、液晶パネル１０２を駆動するための信号処理
回路が搭載されている。
また、切換回路基板Ａ３には、ランプ点灯回路基板Ｂ１，Ｂ２および映像処理回路基板Ａ１，表示回路基板Ａ２に電力を供給する電源を選択するためにスイッチング素子（リレーやスイッチングトランジスタなど）を備え、外部信号（この実施例では、設置方向センサＤＳ又は温度センサＴＳ（１）〜ＴＳ（４）からの出力）を受けてスイッチング素子のＯＮ−ＯＦＦを制御すると共に、映像処理回路基板Ａ１と表示回路基板Ａ２の出力を受けて液晶パネル１０２の映像表示を制御する制御回路が搭載されている。なお、この制御回路は、ＣＰＵ，ＲＯＭ，ＲＡＭからなるマイクロコンピュータを備える。
また、設置方向センサＤＳには、例えば、水銀スイッチが用いられる。
温度センサＴＳ（１），ＴＳ（２），ＴＳ（３），ＴＳ（４）には、温度により抵抗値が変化するサーミスタ素子や温度により電圧が変化する半導体素子が用いられる。
なお、ランプ点灯回路基板Ｂ１，Ｂ２の消費電力は、バックライトランプ１０３の輝度によって変化し最大数百ワットである。一方、基板Ａ１〜Ａ３の消費電力は、バックライト１０３の輝度に関係なくほぼ一定で、合計で数ワット〜数十ワット程度である。
【００１３】
図３は、第１実施形態の電気回路を示すブロック図であり、切換回路基板Ａ３は、電源１，２，３，設置方向センサＤＳ，温度センサＴＳ（１）〜ＴＳ（４）からの出力を受けて、ランプ点灯回路基板Ｂ１，Ｂ２および映像処理回路基板Ａ１，表示回路基板Ａ２へ駆動電力を供給し、映像処理回路基板Ａ１，表示基板回路Ａ２からの出力を受けて、液晶パネル１０２に映像を表示するようになっている。
図４は、切換回路基板Ａ３において、電源１，２，３から基板Ａ１〜Ａ３および基板Ｂ１，Ｂ２へ電力を選択的に供給する切換回路を示す回路図である。基板Ａ１〜Ａ３へは電源２から常時電力が供給され、基板Ｂ１，Ｂ２へは後述するように、電源１，２，３からの電力がスイッチＳ１１，Ｓ１２，Ｓ２１，Ｓ２２，Ｓ３１，Ｓ３２を介して選択的に供給されるようになっている。なお、これらのスイッチには、リレーや半導体スイッチが用いられる。
このような構成における動作を、図５〜図７に示すフローチャートを用いて説明する。
図５は「温度低減モード」の動作を示し、図６は「温度一様モード」の動作を示し、図７は「モード移行モード」の動作を示す。これらの各モードは、切換回路基板Ａ３において、予め設定される。
【００１４】
図５の「温度低減モード」は、電源１，２，３からの発熱をできるだけ筐体外へ放出しようとするモードである。このモードでは、図５に示すように、まず、ステップＳ１０１において、このモードが温度センサの検出温度を用いる自動動作に設定されているか否かが判定される。自動動作でない場合には、設置方向センサＤＳの出力から液晶ディスプレイ装置が縦置きか横置きかが判定される（ステップＳ１０２）。
図１に示すように横置きの場合には、基板Ｂ１に電源１から電力が供給され（ステップＳ１０３）、基板Ｂ２に電源２から電力が供給される（ステップＳ１０４）。
また、図２に示すように縦置きの場合には、基板Ｂ１に電源３から電力が供給され（ステップＳ１０５）、基板Ｂ２に電源２から電力が供給される。
【００１５】
このように、横置きの場合には、図１に示すように、上側に位置する電源１，２が使用され、縦置きの場合には図２に示すように上側に位置する電源２，３が使用される。従って、電源からの発熱は、自然対流により筐体に留まることなく上方へ放出される。
【００１６】
また、ステップＳ１０１において、自動動作に設定されている場合には、電源１〜３の使用・不使用の組合せを図８に示すように予めｎ＝１〜７の７通りに設定した電源切換パターンテーブル（切換回路基板Ａ３のＲＯＭに予め格納されている）が用いられる。
【００１７】
そして、次のように予備運転が行われる。まずｎ＝１のパターン、つまり、電源１（使用）、電源２，３（不使用）が選択される（ステップＳ１０６，Ｓ１０７）。ｎ＝１のパターンによる電源から基板Ｂ１，Ｂ２へ電力が供給され、温度センサＴＳ（１）〜ＴＳ（４）の各検出温度ｔ１〜ｔ４が読み込まれる（ステップＳ１０８）。そしてｔ１〜ｔ４の平均温度ＴＡ（１）が算出される（ステップＳ１０９，Ｓ１１０）。
【００１８】
同様に、ｎ＝２から７までのパターンに従って電源１〜３から電力が出力され、それぞれ平均温度ＴＡ（２）〜ＴＡ（７）が算出される（ステップＳ１１１，Ｓ１１４）。そして、ＴＡ（１）〜ＴＡ（７）の中で最小となる電源切換パターンｎ＝ｍが決定され（ステップＳ１１２，Ｓ１１３）予備運転は終了する。その後は、決定されたパターンｍに従って、電源１，２，３から基板Ｂ１，Ｂ２に電力が供給される。
このようにして筐体の温度が低減するように電源が選択される。
【００１９】
次に、図６の「温度一様モード」は筐体の温度を一様にしようとするモードである。このモードでは、図５に示すモードと同様に、図８に示す電源切換パターンテーブルが用いられる。
【００２０】
そして、次のように予備運転が行われる。
まず、図６に示すように、ｎ＝１のパターンが図８のテーブルから選択され（ステップＳ２０１，Ｓ２０２）、パターンに対応する電源から電力が供給される。温度センサＴＳ（１）〜ＴＳ（４）の各検出温度ｔ１〜ｔ４が読み込まれ（ステップＳ２０３）、ｔ１〜ｔ４の最高と最低の差ＴＤ（１）が算出され、格納される（ステップＳ２０４，Ｓ２０５，Ｓ２０６）。同様にして、ｎ＝２〜７までのパターンに従って電源１〜３から電力が算出され、最高と最低の差ＴＤ（２）〜ＴＤ（７）が算出される（ステップＳ２０８，Ｓ２０９）。
【００２１】
そして、ＴＤ（１）〜ＴＤ（７）の中で最小となる電源切換パターンｎ＝ｍが決定され（ステップＳ２１０）、予備運転は終了する。その後は、決定されたパターンｍに従って、電源１，２，３から基板Ｂ１，Ｂ２に電力が供給される。このようにして、筐体の温度が一様になるように電源が選択される。
【００２２】
次に、図７の「モード移行モード」は、各電源の温度が上限温度を越えないように図５の「温度低減モード」と図６の「温度一様モード」とを自動的に選択するモードである。
このモードでは、「温度低減モード」又は「温度一様モード」のいずれかに設定されているときに、温度センサＴＳ（ｙ）、つまりＴＳ（１）〜ＴＳ（４）の検出温度ｔ（ｙ）、つまりｔ１〜ｔ４が読み込まれて保存される（ステップＳ３０１）。
【００２３】
このモードでは、図９に示す電源配置参照テーブルと図１０に示す電源上限温度テーブルが予め切換回路基板Ａ３のＲＯＭに格納されている。図９のテーブルでは、ｑ＝１とｑ＝０によって縦置きか横置きかを表し、ｙ＝１，２，３はそれぞれ電源１，２，３を表すと共に、「１」，「０」はそれぞれその配置にある電源の「使用」，「不使用」を表す。
【００２４】
また、図１０のテーブルでは、電源ｙは上限温度がＴＬ（ｙ）であること、つまり、電源１，２，３の上限温度がそれぞれＴＬ（１），ＴＬ（２），ＴＬ（３）であることを示している。
【００２５】
そこで、縦置きの場合（ステップＳ３０２）をｑ＝１とし（ステップＳ３０３）、横置きの場合をｑ＝０とする（ステップＳ３０４）。それによって図９は、横置きの場合、ＴＰ（０，１）＝１，ＴＰ（０，２）＝１，ＴＰ（０，３）＝０となり、電源１，２が使用され、電源３が使用されないことを示す。また、縦置きの場合、ＴＰ（１，１）＝０，ＴＰ（１，２）＝１，ＴＰ（１，３）＝１となり、電源１は使用されず、電源２，３が使用されることを示している。
【００２６】
そこで、温度センサＴＳ（ｙ）（ｙ＝１，２，３，又は４）が検出した検出温度ｔ（ｙ），つまり、温度センサＴＳ（１），ＴＳ（２），ＴＳ（３），ＴＳ（４）の各検出温度ｔ（１），ｔ（２），ｔ（３），ｔ（４）のいずれか１つが参照され（ステップＳ３０５，Ｓ３０６）、ｙ＝４でないとき、つまり、参照した検出温度ｔ（ｙ）が電源１，２，３の検出温度ｔ（１），ｔ（２），ｔ（３）のいずれかであるときには、図９の電源の配置ＴＰ（ｑ，ｙ）が参照される（ステップＳ３０７，Ｓ３０８）。
そして、ＴＰ（ｑ，ｙ）＝１であるとき、つまり、対応する電源が「使用」であるとき、参照検出温度ｔ（ｙ）が上限温度ＴＬ（ｙ）を越えているか否かが判定され（ステップＳ３１０）、越えていると、「温度一様モード」であるか否かが判定される（ステップＳ３１１）。「温度一様モード」である場合には「温度低減モード」に変更される（ステップＳ３１２）。「温度一様モード」でない場合には「温度一様モード」に変更される（ステップＳ３１３）。
【００２７】
また、ステップＳ３０９においてＴＰ（ｑ，ｙ）＝１でない場合、つまり、対応する電源が使用されていない場合と、ステップＳ３１０において参照検出温度ｔ（ｙ）が上限温度ＴＬ（ｙ）を越えていない場合と、ステップＳ３０７においてｔ（ｙ）＝ｔ（４）の場合、つまり、検出温度が電源１，２，３の温度ではなく筐体の内部温度である場合にはルーチンはステップＳ３１４に進む。ステップＳ３１４において、ｙ＜４の場合にはｙに１が加えられてステップＳ３０５へ進み、ｙ＝４の場合にはフローは終了する。
このようにして、電源１，２，３のいずれかが上限温度を超えている場合、別のモードへの変更を試みる。
【００２８】
第２実施形態
図１１は、この発明による第２実施形態の液晶ディスプレイ装置の回路配置図である。
図１１に示すように、液晶ディスプレイ装置１００ｂは支持部材（筐体）１０１を備え、支持部材１０１の背面に液晶パネル１０２が搭載され、液晶パネル１０２の背面にランプ点灯回路基板Ｂ１，Ｂ２が設置される。
【００２９】
ランプ点灯回路Ｂ１，Ｂ２の間に複数本のバックライトランプ１０３が設けられる。バックライトランプ１０３の背面に電源Ａ，Ｂと、映像処理回路基板Ａ１と、表示回路基板Ａ２と、切換回路基板Ａ３と、輝度設定部ＢＳが設置される。
【００３０】
電源Ａ，Ｂには、商用電源からの交流電圧を変圧して直流電圧に変換する変圧器と整流平滑回路が備えられる。
なお、電源Ａ，Ｂは後述するように、変換効率が最大となる出力容量が互いに異なる。また、輝度設定部ＢＳは、バックライトランプ１０３の発光輝度を手動又は自動設定する機能を備える。
【００３１】
図１２は、第２実施形態の電気回路を示すブロック図であり、切換回路基板Ａ３は、電源Ａ，Ｂ、輝度設定部ＢＳからの出力をうけて、ランプ点灯回路基板Ｂ１，Ｂ２および映像処理回路基板Ａ１、表示回路基板Ａ２に駆動電力を供給し、映像処理回路基板Ａ１、表示回路基板Ａ２からの出力を受けて、液晶パネル１０２に映像を表示するようになっている。
【００３２】
図１３は、切換回路基板Ａ３において、電源Ａ，Ｂから基板Ａ１〜Ａ３および基板Ｂ１，Ｂ２へ電力を選択的に供給する切換回路を示す説明図である。基板Ａ１〜Ａ３へは電源Ａから常時電力が供給され、基板Ｂ１，Ｂ２へは電源Ａ，Ｂからの電力がスイッチＳを介して選択的に供給されるようになっている。なお、スイッチＳには、リレーや半導体スイッチが用いられる。
図１４は、バックライトランプ１０３の輝度と基板Ｂ１，Ｂ２の消費電力との相関を示す説明図であり、ほぼ輝度に比例して消費電力が増大することを示している。
【００３３】
図１５は、電源Ａ，Ｂの出力電力と電力交換効率を示す説明図であり、曲線（イ）は電源Ａの電力変換効率を示し、曲線（ロ）は電源Ｂの電力変換効率を示す。
図１５から、電源Ａは出力容量が小さく出力Ｗ１以下で電力変換効率が最大となり、電源Ｂは出力容量が大きく出力Ｗ１以上で電力変換効率が最大となることが分かる。
【００３４】
このような構成における動作を図１６に示すフローチャートを用いて説明する。
まず、ステップＳ４０１において、バックライトランプ１０３の輝度Ｂが輝度設定部ＢＳによって設定される。
【００３５】
次に、設定された輝度Ｂが輝度Ｂｒ以下であるか否かが判定される（ステップＳ４０２）。なお、輝度Ｂｒは図１５に示す出力電力Ｗ１に対応するように設定されている。つまり、電源Ａ，Ｂのいずれかから基板Ｂ１，Ｂ２へＷ１の電力が供給されるとき、バックライトランプ１０３の輝度ＢはＢｒとなる。
【００３６】
そこで、設定輝度ＢがＢｒ以下であると、基板Ｂ１とＢ２の両方に電源Ａから電力が供給される（ステップＳ４０３，Ｓ４０４）。一方、設定輝度ＢがＢｒより大きいと、基板Ｂ１とＢ２の両方に電源Ｂから電力が供給される（ステップＳ４０５，Ｓ４０６）。
【００３７】
従って、Ｂ≦Ｂｒのときには、出力電力がＷ１以下で電力変換効率が最大となる電源Ａが用いられ、Ｂ＞Ｂｒのときには、出力電力がＷ１より大きいときに電力変換効率が最大となる電源Ｂが用いられることになる。
このようにして、バックライトランプ１０３の設定輝度の変化に対する電源の電力変換効率の低下が防止される。
【００３８】
第３実施形態
図１７は、この発明による第３実施形態の液晶ディスプレイ装置の回路配置図である。
図１７に示すように、液晶ディスプレイ装置の１００Ｃは支持部材（筐体）１０１を備え、支持部材１０１の背面に液晶パネル１０２が搭載され、液晶パネル１０２の背面にランプ点灯回路基板Ｂ１，Ｂ２が設置される。ランプ点灯回路Ｂ１，Ｂ２の間に複数本のバックライトランプ１０３が設けられる。
【００３９】
バックライトランプ１０３の背面に電源Ａ，Ｂ，Ｃと、映像処理回路基板Ａ１と、表示回路基板Ａ２と、切換回路基板Ａ３と、輝度設定部ＢＳが設置される。電源Ａ，Ｂ，Ｃは、商用電源からの交流電圧を変圧して直流電圧に変換する変圧器と整流平滑回路を備える。
なお、電源Ａ，Ｂ，Ｃは、後述するように、変換効率が最大となる出力容量が互いに異なる。
【００４０】
図１８は、第３実施形態の電気回路を示すブロック図であり、切換回路基板Ａ３は、電源Ａ，Ｂ，Ｃ、輝度設定部ＢＳからの出力をうけて、ランプ点灯回路基板Ｂ１，Ｂ２および映像処理回路基板Ａ１，表示回路基板Ａ２に駆動電力を供給し、映像処理回路基板Ａ１，表示回路基板Ａ２からの出力を受けて、液晶パネル１０２に映像を表示するようになっている。
【００４１】
図１９は、切換回路基板Ａ３において、電源Ａ，Ｂ，Ｃから基板Ａ１〜Ａ３および基板Ｂ１，Ｂ２へ電力を選択的に供給する切換回路を示す説明図である。基板Ａ１〜Ａ３および基板Ｂ１，Ｂ２へは電源Ａからの電力がスイッチＳ１１，Ｓ１２を介して選択的に供給されるようになっている。また、基板Ｂ１，Ｂ２へは電源Ｂ，Ｃからの電力もスイッチＳ２１，Ｓ３１を介して選択的に供給されるようになっている。なお、これらのスイッチにはリレーや半導体スイッチなどが用いられる。図２０は、電源Ａ，Ｂ，Ｃの出力電力と電力変換効率を示す説明図であり、曲線（イ）は電源Ａの電力変換効率を示し、曲線（ロ）は電源Ｂの電力変換効率を示し、曲線（ハ）は電源Ｃの電力変換効率を示す。
【００４２】
図２０から、電源Ａは出力容量が最も小さく出力電力Ｗ１以下で電力変換効率が最大となり、電源Ｂは出力容量が電源Ａより大きく出力電力Ｗ１とＷ２の間で電力変換効率が最大となり、電源Ｃは出力容量が最も大きく出力電力Ｗ２以上で電力変換効率が最大となることを示している。
【００４３】
このような構成における動作を図２１に示すフローチャートを用いて説明する。
まず、ステップＳ５０１において、並列供給モードが設定されているか否かが判定され、設定されていない場合には、輝度設定部ＢＳによる設定輝度ＢがＢｒ１以下か否かが判定される（ステップＳ５０２）。
【００４４】
ＢがBr1以下である場合には、基板Ｂ１，Ｂ２に電源Ａから電力が供給される（ステップＳ５０３）。また、Br1＜Ｂ≦Br2の場合には（ステップＳ５０４）、基板Ｂ１，Ｂ２に電源Ｂから電力が供給される（ステップＳ５０５）。
Ｂ＞Ｂｒ２の場合には、基板Ｂ１，Ｂ２に電源Ｃから電力が供給される（ステップＳ５０６）。
【００４５】
そして、いずれの場合も、基板Ａ１〜Ａ３には電源Ａから電力が供給される。
なお、輝度Br1,Br2は図２０に示す出力電力Ｗ１，Ｗ２にそれぞれ対応するように設定される。つまり、電源Ａ，Ｂ，Ｃのいずれかから基板B1,B2へW1,W2の電力が供給されるとき、バックライトランプ１０３の輝度はそれぞれBr1,Br2となる。
【００４６】
次に、ステップＳ５０１において並列供給モードが設定されている場合には、Ｂ≦Br1であると（ステップＳ５０８）、基板Ｂ１，Ｂ２に電源Ａから電力が供給される（ステップＳ５０９，Ｓ５１０）。Br1＜Ｂ≦Br2であると（ステップＳ５１１）、基板Ｂ１，Ｂ２に電源Ａ，Ｃの両方から電力が供給される（ステップＳ５１２，Ｓ５１３）。
【００４７】
また、Ｂ＞Ｂｒ２であると（ステップＳ５１１）、基板Ｂ１，Ｂ２に電源Ｂ，Ｃの両方から電力が供給される（ステップＳ５１４，Ｓ５１５）。そして、いずれの場合も、基板Ａ１〜Ａ３には電源Ａから電力が供給される（ステップＳ５１６）。
従って、バックライトランプ１０３の設定輝度が変化しても、それに対する電源の電力変換効率の低下が防止される。
【図面の簡単な説明】
【００４８】
【図１】この発明の実施形態１の液晶ディスプレイ装置の裏面図である。
【図２】この発明の実施形態１の液晶ディスプレイ装置の裏面図である。
【図３】この発明の実施形態１の電気回路を示すブロック図である。
【図４】この発明の実施形態１の電力供給回路図である。
【図５】この発明の実施形態１の動作を示すフローチャートである。
【図６】この発明の実施形態１の動作を示すフローチャートである。
【図７】この発明の実施形態１の動作を示すフローチャートである。
【図８】この発明の実施形態１の電源切換パターンテーブルである。
【図９】この発明の実施形態１の電源配置参照テーブルである。
【図１０】この発明の電源上限温度テーブルである。
【図１１】この発明の実施形態２の液晶ディスプレイ装置の裏面図である。
【００４９】
【図１２】この発明の実施形態２の電気回路を示すブロック図である。
【図１３】この発明の実施形態２の電力供給回路図である。
【図１４】バックライトランプの輝度対消費電力を示す説明図である。
【図１５】実施形態２の電源の出力電力対電力変換効率を示す説明図である。
【図１６】実施形態２の動作を示すフローチャートである。
【図１７】この発明の実施形態３の液晶ディスプレイ装置の裏面図である。
【図１８】この発明の実施形態３の電気回路を示すブロック図である。
【図１９】この発明の実施形態３の電力供給回路図である。
【図２０】この発明の実施形態３の電源の出力電力対電力変換効率を示す説明図である。
【図２１】この発明の実施形態３の動作を示すフローチャートである。
【符号の説明】
【００５０】
１    電源
２    電源
３    電源
Ａ１    映像処理回路基板
Ａ２    表示回路基板
Ａ３    切換回路基板
Ｂ１    ランプ点灯回路基板
Ｂ２    ランプ点灯回路基板
ＢＳ    輝度設定部
ＤＳ    設置方向センサ
１００ａ    液晶ディスプレイ装置
１００ｂ    液晶ディスプレイ装置
１００ｃ    液晶ディスプレイ装置
１０１    支持部材
１０２    液晶パネル
１０３    バックライトランプ
【図１】
2008311357.tif 000003
【図２】
2008311357.tif 000004
【図３】
2008311357.tif 000005
【図４】
2008311357.tif 000006
【図５】
2008311357.tif 000007
【図６】
2008311357.tif 000008
【図７】
2008311357.tif 000009
【図８】
2008311357.tif 000010
【図９】
2008311357.tif 000011
【図１０】
2008311357.tif 000012
【図１１】
2008311357.tif 000013
【図１２】
2008311357.tif 000014
【図１３】
2008311357.tif 000015
【図１４】
2008311357.tif 000016
【図１５】
2008311357.tif 000017
【図１６】
2008311357.tif 000018
【図１７】
2008311357.tif 000019
【図１８】
2008311357.tif 000020
【図１９】
2008311357.tif 000021
【図２０】
2008311357.tif 000022
【図２１】
2008311357.tif 000023